(57)【要約】【課題】  的確に歩行性の虫の侵入を防ぎ、長寿命な防虫構造を提供する。【解決手段】  防虫構造１は、少なくとも建物３の周囲に設置された犬走り２及び建物３の基礎４のうちいずれか１つに設置される板状の平滑面を有する防虫構造体１０，２０を備えることを特徴とする。【選択図】図１
2015004253.tif 000002
【特許請求の範囲】
【請求項１】
少なくとも建物の周囲に設置された犬走り及び前記建物の基礎のうちいずれか１つに設置される板状の平滑面を有する防虫構造体を備える
ことを特徴とする防虫構造。
【請求項２】
前記防虫構造体は、前記犬走りの前記建物から離間した側の外端に設置される
ことを特徴とする請求項１に記載の防虫構造。
【請求項３】
前記防虫構造体は、地面に打ち込まれたアンカーに設置される
ことを特徴とする請求項２に記載の防虫構造。
【請求項４】
前記防虫構造体は、前記犬走りの下方に敷かれたＬ字形アングルに設置される
ことを特徴とする請求項２に記載の防虫構造。
【請求項５】
前記防虫構造体は、傾斜して設置される
ことを特徴とする請求項２乃至４のいずれか１つに記載の防虫構造。
【請求項６】
前記犬走りは、
前記外端側で上方に向けて形成される第１上面と、
前記第１上面よりも前記建物の近くに段差を介して前記第１上面よりも高く形成される第２上面と、
を有し、
前記防虫構造体は、
前記犬走りの前記外端に設置される第１犬走り防虫構造体と、
前記段差に設置される第２犬走り防虫構造体と、
を有する
ことを特徴とする請求項２乃至５のいずれか１つに記載の防虫構造。
【請求項７】
前記防虫構造体は、
前記平滑面の下端に形成される第１屈曲部と、
前記平滑面の上端に形成される第２屈曲部と、
を有し、
前記第１屈曲部は、前記建物の基礎と前記犬走りの接触部分に設置され、
前記第２屈曲部は、前記建物の基礎に形成された凹部に嵌め込まれる
ことを特徴とする請求項１に記載の防虫構造。
【請求項８】
前記第１屈曲部及び前記第２屈曲部は、シールで覆われる
ことを特徴とする請求項７に記載の防虫構造。
【請求項９】
前記防虫構造体は、前記平滑面よりも前記建物の反対側に突出する返し構造を有する
ことを特徴とする請求項１乃至８のいずれか１つに記載の防虫構造。
【請求項１０】
前記防虫構造体には、所定の角度で斜め上方に突き出すように取り付けられる庇部材を備える
ことを特徴とする請求項１乃至９のいずれか１つに記載の防虫構造。
【請求項１１】
前記防虫構造体は、金属からなる
ことを特徴とする請求項１乃至１０のいずれか１つに記載の防虫構造。
【請求項１２】
前記防虫構造体の表面粗さは、ＪＩＳ  Ｂ  ０６０１：２００１の表面粗さ規格の算術平均粗さＲａ＝１２．５以下、最大高さ粗さＲｚ＝５０以下である
ことを特徴とする請求項１乃至１１のいずれか１つに記載の防虫構造。
【発明の詳細な説明】
【技術分野】
【０００１】
本発明は、屋外から建物内への害虫の侵入を防ぐ防虫構造に関する。
【背景技術】
【０００２】
従来、建物の害虫の侵入を防止するために、建物の基礎の地表面から露出する外壁面に害虫の登坂を防ぐテープ材を隙間なく貼り巡らせたものが開示されている（特許文献１参照）。
【先行技術文献】
【特許文献】
【０００３】
【特許文献１】特開２００８−１１８９６５号公報
【発明の概要】
【発明が解決しようとする課題】
【０００４】
しかしながら、特許文献１に記載の技術では、テープ材の劣化が速いため、数年に一度は張り替える必要があった。
【０００５】
本発明は上記課題を解決し、的確に歩行性の虫の侵入を防ぎ、長寿命な防虫構造を提供することを目的とする。
【課題を解決するための手段】
【０００６】
本発明にかかる一実施形態の防虫構造は、少なくとも建物の周囲に設置された犬走り及び前記建物の基礎のうちいずれか１つに設置される板状の平滑面を有する防虫構造体を備えることを特徴とする。
【０００７】
また、本発明にかかる一実施形態の防虫構造では、前記防虫構造体は、前記犬走りの前記建物から離間した側の外端に設置される。
【０００８】
また、本発明にかかる一実施形態の防虫構造では、前記防虫構造体は、地面に打ち込まれたアンカーに設置される。
【０００９】
また、本発明にかかる一実施形態の防虫構造では、前記防虫構造体は、前記犬走りの下方に敷かれたＬ字形アングルに設置される。
【００１０】
また、本発明にかかる一実施形態の防虫構造では、前記防虫構造体は、傾斜して設置される。
【００１１】
また、本発明にかかる一実施形態の防虫構造では、前記犬走りは、前記外端側で上方に向けて形成される第１上面と、前記第１上面よりも前記建物の近くに段差を介して前記第１上面よりも高く形成される第２上面と、を有し、前記防虫構造体は、前記犬走りの前記外端に設置される第１犬走り防虫構造体と、前記段差に設置される第２犬走り防虫構造体と、を有する。
【００１２】
また、本発明にかかる一実施形態の防虫構造では、前記防虫構造体は、前記平滑面の下端に形成される第１屈曲部と、前記平滑面の上端に形成される第２屈曲部と、を有し、前記第１屈曲部は、前記建物の基礎と前記犬走りの接触部分に設置され、前記第２屈曲部は、前記建物の基礎に形成された凹部に嵌め込まれる。
【００１３】
また、本発明にかかる一実施形態の防虫構造では、前記第１屈曲部及び前記第２屈曲部は、シールで覆われる。
【００１４】
また、本発明にかかる一実施形態の防虫構造では、前記防虫構造体は、前記平滑面よりも前記建物の反対側に突出する返し構造を有する。
【００１５】
また、本発明にかかる一実施形態の防虫構造では、前記防虫構造体には、所定の角度で斜め上方に突き出すように取り付けられる庇部材を備える。
【００１６】
また、本発明にかかる一実施形態の防虫構造では、前記防虫構造体は、金属からなる。
【００１７】
また、本発明にかかる一実施形態の防虫構造では、前記防虫構造体の表面粗さは、ＪＩＳ  Ｂ  ０６０１：２００１の表面粗さ規格の算術平均粗さＲａ＝１２．５以下、最大高さ粗さＲｚ＝５０以下である。
【発明の効果】
【００１８】
本発明にかかる一実施形態の防虫構造によれば、少なくとも建物の周囲に設置された犬走り及び前記建物の基礎のうちいずれか１つに設置される板状の平滑面を有する防虫構造体を備えるので、的確に歩行性の虫の侵入を防ぎ、長寿命な防虫構造を提供することが可能となる。
【００１９】
また、本発明にかかる一実施形態の防虫構造では、前記防虫構造体は、前記犬走りの前記建物から離間した側の外端に設置されるので、さらに的確に歩行性の虫の侵入を防ぐことが可能となる。また、防虫構造体を犬走りのコンクリート打設時の型枠として使用することで、コンクリート養生後に犬走りの防虫構造体を取り外す必要がなく、設置した状態のままで使用することができ、施工時間を短縮することができ、コストも削減することが可能となる。
【００２０】
また、本発明にかかる一実施形態の防虫構造では、前記防虫構造体は、地面に打ち込まれたアンカーに設置されるので、犬走りを設置する際にアンカーを使用することで、地面に打ち込み易くなり、防虫構造体を容易に設置することが可能となる。
【００２１】
また、本発明にかかる一実施形態の防虫構造では、前記防虫構造体は、前記犬走りの下方に敷かれたＬ字形アングルに設置されるので、犬走りを設置する際に設置具等を地面に打ち込む必要がないため、防虫構造体を容易に設置することが可能となる。
【００２２】
また、本発明にかかる一実施形態の防虫構造では、前記防虫構造体は、傾斜して設置されるので、防虫構造体を鉛直に設置する工程を行う必要がなくなり、鉛直を測定する高い精度を必要としないため、防虫構造体を容易に設置することが可能となる。
【００２３】
また、本発明にかかる一実施形態の防虫構造では、前記犬走りは、前記外端側で上方に向けて形成される第１上面と、前記第１上面よりも前記建物の近くに段差を介して前記第１上面よりも高く形成される第２上面と、を有し、前記防虫構造体は、前記犬走りの前記外端に設置される第１犬走り防虫構造体と、前記段差に設置される第２犬走り防虫構造体と、を有するので、歩行性害虫は、複数の防虫構造体を上らなければ建物に到達できず、建物内への虫の侵入を大幅に阻止することが可能となる。
【００２４】
また、本発明にかかる一実施形態の防虫構造では、前記防虫構造体は、前記平滑面の下端に形成される第１屈曲部と、前記平滑面の上端に形成される第２屈曲部と、を有し、前記第１屈曲部は、前記建物の基礎と前記犬走りの接触部分に設置され、前記第２屈曲部は、前記建物の基礎に形成された凹部に嵌め込まれるので、基礎の外表面に形成された凹部に嵌め込むだけで簡単に取り付けられ、施工時間を短縮することができ、コストも削減することが可能となる。
【００２５】
また、本発明にかかる一実施形態の防虫構造では、前記第１屈曲部及び前記第２屈曲部は、シールで覆われるので、雨水等の侵入を防ぎ、防虫構造体のサビを防止することが可能となる。
【００２６】
また、本発明にかかる一実施形態の防虫構造では、前記防虫構造体は、前記平滑面よりも前記建物の反対側に突出する返し構造を有するので、建物内へのさらに多くの虫の侵入を阻止することが可能となる。
【００２７】
また、本発明にかかる一実施形態の防虫構造では、前記防虫構造体には、所定の角度で斜め上方に突き出すように取り付けられる庇部材を備えるので、建物内へのさらに多くの虫の侵入を阻止することが可能となる。
【００２８】
また、本発明にかかる一実施形態の防虫構造では、前記防虫構造体は、金属からなるので、さらに的確に歩行性の虫の侵入を防ぎ、より長寿命な防虫構造を提供することが可能となる。
【００２９】
また、本発明にかかる一実施形態の防虫構造では、前記防虫構造体の表面粗さは、ＪＩＳ  Ｂ  ０６０１：２００１の表面粗さ規格の算術平均粗さＲａ＝１２．５以下、最大高さ粗さＲｚ＝５０以下であるので、建物内へのさらに多くの虫の侵入を阻止することが可能となる。
【図面の簡単な説明】
【００３０】
【図１】本発明にかかる一実施形態の防虫構造１を示す図である。
【図２】本発明にかかる防虫構造１の実施例１を示す図である。
【図３】本発明にかかる防虫構造１の実施例２を示す図である。
【図４】本発明にかかる防虫構造１の実施例３を示す図である。
【図５】本発明にかかる防虫構造１の実施例４を示す図である。
【図６】本発明にかかる防虫構造１の実施例５を示す図である。
【図７】本発明にかかる防虫構造１の実施例６を示す図である。
【図８】本発明にかかる防虫構造１の実施例７を示す図である。
【図９】本発明にかかる防虫構造１の実施例８を示す図である。
【図１０】本発明にかかる防虫構造１の実施例９を示す図である。
【図１１】本発明にかかる防虫構造１の実施例１０を示す図である。
【図１２】本発明にかかる防虫構造１の実施例１１を示す図である。
【発明を実施するための形態】
【００３１】
以下、図面を参照して本発明にかかる防虫構造の実施形態を説明する。
【００３２】
図１は、本発明にかかる一実施形態の防虫構造を示す図である。
【００３３】
図１に示すように、本実施形態の防虫構造１は、少なくとも犬走り２及び建物３の基礎４の地表面から露出する外壁面４ａのうちいずれか１つに防虫構造１を設置する。本実施形態では、防虫構造１の第１実施形態を犬走り２に用いる犬走り防虫構造１０とし、防虫構造１の第２実施形態を建物３の基礎４の地表面から露出する外壁面４ａに用いる基礎防虫構造２０とする。
【００３４】
図２は、本発明にかかる防虫構造１の実施例１を示す図である。
【００３５】
犬走り２は、建物３の外周部や軒下に設置され、雨水等の跳ね返りを防ぐものである。犬走り２の外周には、地面５０に砂利６０が敷かれている。なお、砂利６０を敷かず、犬走り２の外周が直接地面５０に接していてもよい。
【００３６】
防虫構造１の実施例１は、第１実施形態の犬走り防虫構造１０からなる。この例の犬走り防虫構造１０は、犬走り防虫構造体１１からなる。犬走り防虫構造体１１は、この犬走り２の外端に、下方が地面５０に埋められた状態で鉛直方向に平行に設置されることが好ましい。また、犬走り防虫構造体１１は、犬走り２と同じ高さに形成されることが好ましい。
【００３７】
犬走り防虫構造体１１の材料は、アルミニウムやステンレス等の金属又は合成樹脂等の平滑な板状の部材からなる。また、犬走り防虫構造体１１は、板状の部材を塗装して平滑にしたものでもよい。表面は、ＪＩＳ  Ｂ  ０６０１：２００１の表面粗さ規格の算術平均粗さＲａ＝１２．５以下、最大高さ粗さＲｚ＝５０以下のものが好ましい。本実施形態では、最大高さ粗さＲｚ＝３．２程度、すなわち、山と谷の最大の差が３．２μｍ程度の材料を使用した。以下の実施例においても同様の材料を用いる。
【００３８】
このような犬走り防虫構造１０によって、虫、特に歩行性害虫は、犬走り防虫構造体１１をほぼ登ることができなくなる。したがって、建物３内への虫の侵入を大幅に阻止することが可能となる。
【００３９】
また、第１実施形態の犬走り防虫構造１０では、犬走り防虫構造体１１は、犬走り２のコンクリート打設時の型枠として使用することが可能である。そのため、従来は犬走り２のコンクリート養生後に型枠を取り外していたが、犬走り防虫構造体１１をコンクリート打設時の型枠として使用することで、コンクリート養生後に犬走り防虫構造体１１を取り外す必要がなく、設置した状態のままで使用することが可能となる。したがって、型枠を取り外す労力がなくなると共に、取り外した型枠が廃材として排出されることがないので、施工時間を短縮することができ、コストも削減することが可能となる。
【００４０】
なお、これらの効果は、以下の第１実施形態の犬走り防虫構造１０の各実施例も奏するものであるので、以下の第１実施形態の犬走り防虫構造１０の各実施例では記載を省略する。
【００４１】
図３は、本発明にかかる防虫構造１の実施例２を示す図である。
【００４２】
防虫構造１の実施例２は、第１実施形態の犬走り防虫構造１０からなる。この例の犬走り防虫構造１０は、犬走り防虫構造体１１及びアンカー１２からなる。犬走り防虫構造体１１は、犬走り２の外端で地面５０に埋められたアンカー１２に設置される。犬走り防虫構造体１１とアンカー１２は、鉛直方向に平行に設置されることが好ましい。
【００４３】
実施例２の防虫構造１は、アンカー１２を用いることで、犬走りを設置する際に地面５０に打ち込み易くなり、犬走り防虫構造体１１を容易に設置することが可能となる。
【００４４】
図４は、本発明にかかる防虫構造１の実施例３を示す図である。
【００４５】
防虫構造１の実施例３は、第１実施形態の犬走り防虫構造１０からなる。この例の犬走り防虫構造１０は、犬走り防虫構造体１１及びＬ字形アングル１３からなる。犬走り防虫構造体１１は、犬走り２の外端を含む領域に地面５０に沿って埋められたＬ字形アングル１３に、犬走り２の外端で設置される。Ｌ字形アングル１３は、地面に平行に、犬走り防虫構造体１１は、鉛直方向に平行に設置されることが好ましい。
【００４６】
実施例３の防虫構造１は、Ｌ字形アングル１３を用いることで、犬走りを設置する際に設置具等を地面５０に打ち込む必要がないため、犬走り防虫構造体１１を容易に設置することが可能となる。
【００４７】
図５は、本発明にかかる防虫構造１の実施例４を示す図である。
【００４８】
防虫構造１の実施例４は、第１実施形態の犬走り防虫構造１０からなる。この例の犬走り防虫構造１０は、犬走り防虫構造体１１からなる。犬走り防虫構造体１１は、犬走り２の外端に設置される。犬走り防虫構造体１１は、犬走り２から離れる方向に向かって下がるように、地面５０に対して傾斜して設置されることが好ましい。
【００４９】
実施例４の防虫構造１では、犬走り防虫構造体１１を地面５０に対して傾斜して設置するので、犬走り防虫構造体１１を鉛直に設置する工程を行う必要がなくなり、鉛直を測定する高い精度を必要としないため、犬走り防虫構造体１１を容易に設置することが可能となる。
【００５０】
図６は、本発明にかかる防虫構造１の実施例５を示す図である。
【００５１】
防虫構造１の実施例５は、第１実施形態の犬走り防虫構造１０からなる。この例の犬走り防虫構造１０は、犬走り防虫構造体１１からなる。犬走り防虫構造体１１は、犬走り２の外端に設置される。犬走り防虫構造体１１は、犬走り２から離れる方向に向かって上がるように、地面５０に対して実施例４とは逆向きに傾斜して、所謂返し構造のように設置されることが好ましい。
【００５２】
実施例５の防虫構造１では、犬走り防虫構造体１１を地面５０に対して傾斜して設置するので、犬走り防虫構造体１１を鉛直に設置する工程を行う必要がなくなり、鉛直を測定する高い精度を必要としないため、犬走り防虫構造体１１を容易に設置することが可能となる。また、返し構造とすることで、歩行性害虫は、防虫構造体１１をさらに登りづらくなる。
【００５３】
図７は、本発明にかかる防虫構造１の実施例６を示す図である。
【００５４】
防虫構造１の実施例６は、第１実施形態の犬走り防虫構造１０からなる。この例の犬走り防虫構造１０は、複数の犬走り防虫構造体１１からなる。犬走り防虫構造体１１は、犬走り２の外端に設置される第１犬走り防虫構造体１１1と、第１犬走り防虫構造体１１1よりも建物に近い側に設置される第２犬走り防虫構造体１１2と、第２犬走り防虫構造体１１2よりもさらに建物に近い側に設置される第３犬走り防虫構造体１１3と、を有する。
【００５５】
犬走り２は、外端から建物に向かって上階に登るように階段状に形成される。例えば、第２犬走り防虫構造体１１2と第３犬走り防虫構造体１１3の間の犬走り２の第２上面２2の高さは、第１犬走り防虫構造体１１1と第２犬走り防虫構造体１１2の間の犬走り２の第１上面２1の高さよりも高い。また、第３犬走り防虫構造体１１3と建物の間の犬走り２の第３上面２3の高さは、第２犬走り防虫構造体１１2と第３犬走り防虫構造体１１3の間の犬走り２の第２上面２2の高さよりも高い。
【００５６】
なお、第１犬走り防虫構造体１１1と第１上面２1の高さ、第２犬走り防虫構造体１１2と第２上面２2の高さ、第３犬走り防虫構造体１１3と第３上面２3の高さは、それぞれ同じであることが好ましい。
【００５７】
実施例６の防虫構造１では、複数の犬走り防虫構造体１１を用いて犬走り２を階段状に設置するので、歩行性害虫は、複数の犬走り防虫構造体１１を上らなければ建物に到達できない。したがって、建物内への虫の侵入を大幅に阻止することが可能となる。
【００５８】
次に、第２実施形態の基礎防虫構造２０について説明する。
【００５９】
図８は、本発明にかかる防虫構造１の実施例７を示す図である。
【００６０】
基礎４は、図１に示した建物３の下部に設置され、建物３を支えるものである。基礎４は、外表面４ａに凹部４ｂが形成されている。
【００６１】
防虫構造１の実施例７は、第２実施形態の基礎防虫構造２０からなる。この例の基礎防虫構造２０は、少なくとも基礎防虫構造体２１を有する。基礎防虫構造体２１は、基礎４の下方の犬走り２に接触する部分に設置される。基礎防虫構造体２１は、平滑部２１ａと、第１屈曲部２１ｂと、第２屈曲部２１ｃと、を有し、一体に形成されることが好ましい。
【００６２】
平滑部２１ａは、アルミニウムやステンレス等の金属又は合成樹脂等の平滑な板状の面からなる。また、平滑部２１ａは、板状の部材を塗装したものでもよい。表面は、平坦度０．１μｍ以下の鏡面加工されたものが好ましい。以下の実施例においても、平滑部２１ａは、同様の材料を用いる。
【００６３】
第１屈曲部２１ｂは、平滑部２１ａに対して階段状に屈曲させた部分である。第１屈曲部２１ｂは、基礎防虫構造体２１の下方に形成され、犬走り２に接触する部分に設置される。第１屈曲部２１ｂと犬走り２が接触する部分は、シール２２で覆われる。第１屈曲部２１ｂの材料は、平滑部２１ａと同じでよい。
【００６４】
第２屈曲部２１ｃは、第１屈曲部２１ｂと同様に、平滑部２１ａに対して階段状に屈曲させた部分である。第２屈曲部２１ｃは、基礎防虫構造体２１の上方に形成される。第２屈曲部２１ｃの先端は、基礎４の外表面４ａに形成された凹部４ｂに嵌め込まれる。第２屈曲部２１ｂが嵌め込まれた凹部４ｂは、シール２３で埋められる。第２屈曲部２１ｃの材料は、平滑部２１ａと同じでよい。
【００６５】
このような実施例７の防虫構造１によって、虫、特に歩行性害虫は、基礎防虫構造体２１をほぼ登ることができなくなる。したがって、建物内への虫の侵入を大幅に阻止することが可能となる。
【００６６】
また、第２実施形態の基礎防虫構造２０では、基礎防虫構造体２１は、基礎４の外表面４ａに形成された凹部４ｂに嵌め込むだけで簡単に取り付けられるので、施工時間を短縮することができ、コストも削減することが可能となる。また、屈曲部をシール２２，２３で覆うので、雨水等の侵入を防ぎ、サビを防止することが可能となる。
【００６７】
なお、これらの効果は、以下の第２実施形態の基礎防虫構造２０の各実施例も奏するものであるので、以下の第２実施形態の基礎防虫構造２０の各実施例では記載を省略する。
【００６８】
図９は、本発明にかかる防虫構造１の実施例８を示す図である。
【００６９】
防虫構造１の実施例８は、第２実施形態の基礎防虫構造２０からなる。この例の基礎防虫構造２０は、少なくとも基礎防虫構造体２１を有する。基礎防虫構造体２１は、基礎４の下方の犬走り２に接触する付近に設置される。基礎防虫構造体２１は、平滑部２１ａと、第１屈曲部２１ｂと、第２屈曲部２１ｃと、返し構造部２１ｄを有し、一体に形成されることが好ましい。
【００７０】
平滑部２１ａ、第１屈曲部２１ｂ、及び第２屈曲部２１ｃは、実施例７と同様の構造でもよいので、説明は省略する。
【００７１】
返し構造部２１ｄは、平滑部２１ａの一部を基礎４から離間する方向に突出させた部分である。この例の返し構造部２１ｄは、庇のように基礎４から離間するにつれて下方に下がるように突出する。
【００７２】
このような実施例８の防虫構造１では、返し構造部２１ｄを有することにより、建物内へのより多くの虫の侵入を阻止することが可能となる。また、返し構造部２１ｄが基礎４から離間するにつれて下方に下がるように突出するので、建物内へのさらに多くの虫の侵入を阻止することが可能となる。
【００７３】
図１０は、本発明にかかる防虫構造１の実施例９を示す図である。
【００７４】
防虫構造１の実施例９は、第２実施形態の基礎防虫構造２０からなる。この例の基礎防虫構造２０は、少なくとも基礎防虫構造体２１を有する。基礎防虫構造体２１は、基礎４の下方の犬走り２に接触する付近に設置される。基礎防虫構造体２１は、平滑部２１ａと、第１屈曲部２１ｂと、第２屈曲部２１ｃと、返し構造部２１ｄを有し、一体に形成されることが好ましい。
【００７５】
平滑部２１ａ、第１屈曲部２１ｂ、及び第２屈曲部２１ｃは、実施例７と同様の構造でもよいので、説明は省略する。
【００７６】
返し構造部２１ｄは、平滑部２１ａの一部を基礎４から離間する方向に突出させた部分である。この例の返し構造部２１ｄは、平滑部２１ａの一部と共に第１屈曲部２１ｂの一部を延長して基礎４から離間する方向に突出させる。
【００７７】
このような、実施例９の防虫構造１では、返し構造部２１ｄを有することにより、建物内へのより多くの虫の侵入を阻止することが可能となる。また、返し構造部２１ｄは、平滑部２１ａの一部と共に第１屈曲部２１ｂの一部を用いることによって形成されるので、返し構造部２１ｄを容易に形成することが可能となる。
【００７８】
図１１は、本発明にかかる防虫構造１の実施例１０を示す図である。
【００７９】
防虫構造１の実施例１０は、第２実施形態の基礎防虫構造２０からなる。この例の基礎防虫構造２０は、少なくとも基礎防虫構造体２１を有する。基礎防虫構造体２１は、基礎４の下方の犬走り２に接触する付近に設置される。基礎防虫構造体２１は、平滑部２１ａと、第１屈曲部２１ｂと、第２屈曲部２１ｃと、返し構造部２１ｄを有し、一体に形成されることが好ましい。
【００８０】
平滑部２１ａ、第１屈曲部２１ｂ、及び第２屈曲部２１ｃは、実施例７と同様の構造でもよいので、説明は省略する。
【００８１】
返し構造部２１ｄは、平滑部２１ａの一部を基礎４から離間する方向に突出させた部分である。この例の返し構造部２１ｄは、平滑部２１ａの一部と共に第２屈曲部２１ｃの一部を延長して基礎４から離間する方向に突出させる。また、この例の返し構造部２１ｄの一部である平滑部２１ａ側の傾斜部分は、上方に向かうにつれて基礎４から離間するように突出する。
【００８２】
このような、実施例１０の防虫構造１では、返し構造部２１ｄを有することにより、建物内へのより多くの虫の侵入を阻止することが可能となる。また、返し構造部２１ｄは、平滑部２１ａの一部と共に第２屈曲部２１ｃの一部を用いることによって形成されるので、返し構造部２１ｄを容易に形成することが可能となる。さらに、返し構造部２１ｄの一部である平滑部２１ａ側の傾斜部分は、上方に向かうにつれて基礎４から離間するように突出するので、建物内へのさらに多くの虫の侵入を阻止することが可能となる。
【００８３】
図１２は、本発明にかかる防虫構造１の実施例１１を示す図である。
【００８４】
防虫構造１の実施例１１は、第１実施形態の犬走り防虫構造１０、第２実施形態の基礎防虫構造２０又は建物３と基礎４との間に取り付ける庇部材３０からなる。
【００８５】
この例の庇部材３０は、少なくとも犬走り防虫構造１０の犬走り防虫構造体１１に取り付けられる犬走り庇部材３１、第２実施形態の基礎防虫構造２０の基礎防虫構造体２１の第１屈曲部２１ｂに取り付けられる第１基礎庇部材３２、第２実施形態の基礎防虫構造２０の基礎防虫構造体２１の第２屈曲部２１ｃに取り付けられる第２基礎庇部材３３、及び建物３と基礎４との間に取り付けられる第３基礎庇部材３４のいずれか１つを有する。
【００８６】
各庇部材３０は、犬走り防虫構造体１１、基礎防虫構造体２１、及び建物３や基礎４にそれぞれ所定の角度で斜め上方に突き出すように取り付けられることが好ましい。
【００８７】
このような、実施例１１の庇部材３０は、各実施例と併用することで、建物内へのより多くの虫の侵入を阻止することが可能となる。
【００８８】
ここで、本発明にかかる防虫構造に対しておこなった実験について説明する。
【００８９】
実験は、従来のコンクリートのみの場合と、本発明にかかる防虫構造を用いた場合の害虫の登攀頻度を比較した。防虫構造としては、幅３０ｃｍ、長さ６０ｃｍ、高さ５ｃｍのコンクリート板を使用し、防虫構造としては塗装済みのスチール板を使用した。
【００９０】
実験に使用した害虫は、以下の通りである。
・ヤスデ（フジヤスデ）
・ムカデ（セスジムカデ）
・ゲジ（ゲジ）
・ハサミムシ（ヒゲジロハサミムシ）
・ゴキブリ（クロゴキブリ中齢幼虫、クロゴキブリ成虫）
・アリ（トビイロケアリ）
・クモ（キハダエビグモ）
【００９１】
実験方法について説明する。まず、コンクリート製の基盤の短辺側をタルク（滑石）の粉末を塗布した合成樹脂製の板で囲う。続いて、基盤の両長辺側に段差５ｃｍの別の犬走りを模したコンクリート板を置く。一方側のコンクリート板は、従来の犬走りのようにコンクリートのみからなり、他方側のコンクリート板は、塗装済みのスチール板を接着したコンクリートからなる。
【００９２】
また、両側のコンクリート板の上面には、２段目のコンクリート板が設置され、その周囲はタルクの粉末を塗布した合成樹脂製の板で囲われており、害虫が逃げ出せないようにした。
【００９３】
次に、合成樹脂製の板とコンクリート板で囲まれる基盤の中心に害虫を放し、３０分間観察して、コンクリートのみの板を登った回数と、スチール板を接着したコンクリートを登った回数とを、それぞれ時間毎に記録した。登った害虫は、そのまま放置し、もしコンクリート板を下に降りて、再度登った場合にはカウントすることとした。
【００９４】
この実験を２回ずつ反復し、コンクリートのみの板を登った回数と、スチール板を接着したコンクリートを登った回数を比較し、侵入防止効果を以下の阻止率を示す式から評価した。スチール面とコンクリートの登攀回数が同じ場合阻止率は０％、スチール面の登攀回数が０なら１００％となる。
阻止率＝１−（スチール面登攀回数／コンクリート登攀回数）％
【００９５】
実験結果は、以下の通りである。
・フジヤスデ
３３匹を３０分間放して登攀回数をカウント（２回の合計）
コンクリート：２５匹，スチール面：０匹
阻止率１００％
・セスジムカデ
１０匹を３０分間放して登攀回数をカウント（２回の合計）
コンクリート：４２匹，スチール面：０匹
阻止率１００％
・ゲジ
５匹を３０分間放して登攀回数をカウント（２回の合計）
コンクリート：４６匹，スチール面：２匹
阻止率９５．６％
・ヒゲジロハサミムシ
４匹を３０分間放して登攀回数をカウント（２回の合計）
コンクリート：８匹，スチール面：０匹
阻止率１００％
・クロゴキブリ中齢幼虫
１０匹を３０分間放して登攀回数をカウント（２回の合計）
コンクリート：３３匹，スチール面：０匹
阻止率１００％
・クロゴキブリ成虫
１０匹を３０分間放して登攀回数をカウント（２回の合計）
コンクリート：５２匹，スチール面：６匹
阻止率８８％
・トビイロケアリ
３０匹を３０分間放して登攀回数をカウント（２回の合計）
コンクリート：４７匹，スチール面：２８匹
阻止率４０．４％
・キハダエビグモ
１０匹を３０分間放して登攀回数をカウント（２回の合計）
コンクリート：１４匹，スチール面：９匹
阻止率３５．７％
【００９６】
このような実験結果により、本実施形態の防虫構造は、主な歩行性害虫であるフジヤスデ、セスジムカデ、ゲジ、ヒゲジロハサミムシ、及びクロゴキブリ中齢幼虫の侵入をほぼ１００％阻止することが可能であることがわかった。また、トビイロケアリにおいても二項検定により阻止効果があることがわかった。
【００９７】
すなわち、虫、特に歩行性害虫は、本実施形態の防虫構造をほぼ登ることができなくなる。したがって、建物内への虫の侵入を大幅に阻止することが可能となる。
【００９８】
このように、本実施形態の防虫構造１によれば、少なくとも建物３の周囲に設置された犬走り２及び建物３の基礎４のうちいずれか１つに設置される板状の平滑面を有する防虫構造体１１，２１を備えるので、的確に歩行性の虫の侵入を防ぎ、長寿命な防虫構造を提供することが可能となる。
【００９９】
また、本実施形態の防虫構造１では、防虫構造体１１は、犬走りの建物から離間した側の外端に設置されるので、さらに的確に歩行性の虫の侵入を防ぐことが可能となる。また、防虫構造体１１を犬走り２のコンクリート打設時の型枠として使用することで、コンクリート養生後に犬走りの防虫構造体を取り外す必要がなく、設置した状態のままで使用することができ、施工時間を短縮することができ、コストも削減することが可能となる。
【０１００】
また、本実施形態の防虫構造１では、防虫構造体１１は、地面に打ち込まれたアンカー１２に設置されるので、犬走り２を設置する際にアンカー１２を使用することで、地面５０に打ち込み易くなり、防虫構造体１１を容易に設置することが可能となる。
【０１０１】
また、本実施形態の防虫構造１では、防虫構造体１１は、犬走り２の下方に敷かれたＬ字形アングル１３に設置されるので、犬走り２を設置する際に設置具等を地面５０に打ち込む必要がないため、防虫構造体１１を容易に設置することが可能となる。
【０１０２】
また、本実施形態の防虫構造１では、防虫構造体１１は、傾斜して設置されるので、防虫構造体１１を鉛直に設置する工程を行う必要がなくなり、鉛直を測定する高い精度を必要としないため、防虫構造体１１を容易に設置することが可能となる。
【０１０３】
また、本実施形態の防虫構造１では、犬走り２は、外端側で上方に向けて形成される第１上面２1と、第１上面２1よりも建物の近くに段差を介して第１上面２1よりも高く形成される第２上面２2と、を有し、防虫構造体１１は、犬走り２の外端に設置される第１犬走り防虫構造体１１1と、段差に設置される第２犬走り防虫構造体１１2と、を有するので、歩行性害虫は、複数の防虫構造体１１を上らなければ建物３に到達できず、建物３内への虫の侵入を大幅に阻止することが可能となる。
【０１０４】
また、本実施形態の防虫構造１では、防虫構造体２１は、平滑面２１ａの下端に形成される第１屈曲部２１ｂと、平滑面２１ａの上端に形成される第２屈曲部２１ｃと、を有し、第１屈曲部２１ｂは、建物３の基礎４と犬走り２の接触部分に設置され、第２屈曲部２１ｃは、建物３の基礎４に形成された凹部４ｂに嵌め込まれるので、基礎４の外表面４ａに形成された凹部４ｂに嵌め込むだけで簡単に取り付けられ、施工時間を短縮することができ、コストも削減することが可能となる。
【０１０５】
また、本実施形態の防虫構造１では、第１屈曲部２１ｂ及び第２屈曲部２１ｃは、シール２２，２３で覆われるので、雨水等の侵入を防ぎ、防虫構造体のサビを防止することが可能となる。
【０１０６】
また、本実施形態の防虫構造１では、防虫構造体２１は、平滑面２１ａよりも建物３の反対側に突出する返し構造２１ｄを有するので、建物３内へのさらに多くの虫の侵入を阻止することが可能となる。
【０１０７】
また、本実施形態の防虫構造１では、防虫構造体１１，２１には、所定の角度で斜め上方に突き出すように取り付けられる庇部材３０を備えるので、建物３内へのさらに多くの虫の侵入を阻止することが可能となる。
【０１０８】
また、本発明にかかる一実施形態の防虫構造１では、防虫構造体１１，２１は、金属からなるので、さらに的確に歩行性の虫の侵入を防ぎ、より長寿命な防虫構造１を提供することが可能となる。
【０１０９】
なお、この実施形態によって本発明は限定されるものではない。すなわち、実施形態の説明に当たって、例示のために特定の詳細な内容が多く含まれるが、当業者であれば、これらの詳細な内容に色々なバリエーションや変更又は組み合わせを加えてもよい。
【符号の説明】
【０１１０】
１…防虫構造、２…犬走り、３…建物、４…基礎、１０…犬走り防虫構造、１１…犬走り防虫構造体（防虫構造体）、１２…アンカー、１３…Ｌ字形アングル、２０…基礎防虫構造、２１…基礎防虫構造体（防虫構造体）、２２，２３…シール
【図１】
2015004253.tif 000003
【図２】
2015004253.tif 000004
【図３】
2015004253.tif 000005
【図４】
2015004253.tif 000006
【図５】
2015004253.tif 000007
【図６】
2015004253.tif 000008
【図７】
2015004253.tif 000009
【図８】
2015004253.tif 000010
【図９】
2015004253.tif 000011
【図１０】
2015004253.tif 000012
【図１１】
2015004253.tif 000013
【図１２】
2015004253.tif 000014